(57)【要約】【課題】冷凍装置室内機と、冷凍装置室外機と、前記冷凍装置室内機の運転データを設定時間間隔で記憶する内部記憶装置を有するシステムコントローラとを備えた冷凍システムにおける通信異常時に前記室内機の運転データを確実に保存する技術である。【解決手段】前記冷凍装置室内機１と前記冷凍装置室外機２とを通信線で接続した室内機―室外機間通信手段と、前記冷凍装置室外機２の制御基板２１に設けられるとともに前記システムコントローラ３等の通信手段の異常を検出する異常検出手段と、前記冷凍装置室外機２の制御基板２１に直付けされて設けられるとともに前記異常検出手段による異常検出時から異常復旧まで前記冷凍装置室内機２の運転データを前記設定時間間隔で記憶する直付記憶装置２１ｂとを備えたから、前記システムコントローラ３等の異常時にも前記冷凍装置室内機１の運転データを欠落なく連続的に記憶することができるのである。【選択図】図３
2013137148.tif 000002
【特許請求の範囲】
【請求項１】
食品などの物品を低温貯蔵する冷凍装置室内機と、前記室内機と連結されて冷凍装置を形成する冷凍装置室外機と、前記冷凍装置室内機の運転データを設定時間間隔で記憶する内部記憶装置を有するシステムコントローラと、前記冷凍装置室内機と前記システムコントローラとを通信線で接続した室内機―コントローラ間通信手段とを備えた冷凍システムにおいて、
前記冷凍装置室内機と前記冷凍装置室外機とを通信線で接続した室内機―室外機間通信手段と、前記冷凍装置室外機の制御基板に設けられるとともに前記システムコントローラの異常及び前記室内機―コントローラ間通信手段の異常を検出する異常検出手段と、前記冷凍装置室外機の制御基板に直付けされて設けられるとともに前記異常検出手段による異常検出時から異常復旧まで前記冷凍装置室内機の運転データを前記設定時間間隔で記憶する直付記憶装置とを備えたことを特徴とする冷凍システム。
【請求項２】
食品などの物品を低温貯蔵する冷凍装置室内機と、前記室内機と連結されて冷凍装置を形成する冷凍装置室外機と、前記冷凍装置室内機の運転データを設定時間間隔で記憶する内部記憶手段を有するシステムコントローラと、前記冷凍装置室内機と前記システムコントローラとを通信線で接続した室内機―コントローラ間通信手段とを備えた冷凍システムにおいて、
前記冷凍装置室内機と前記冷凍装置室外機とを通信線で接続した室内機―室外機間通信手段と、前記冷凍装置室外機の制御基板に設けられるとともに前記システムコントローラの異常及び前記室内機―コントローラ間通信手段の異常を検出する異常検出手段と、前記冷凍装置室外機の制御基板に取外し可能に設けられるとともに前記異常検出手段による異常検出時から異常復旧まで前記冷凍装置室内機の運転データを前記設定時間間隔で記憶する外部記憶装置とを備えたことを特徴とする冷凍システム。
【請求項３】
前記直付記憶装置は、予め設定した時間を越えて前記冷凍装置室内機の運転データを記憶する場合は、記憶されている古い運転データから上書きされるようにされていることを特徴とする請求項１に記載の冷凍システム。
【請求項４】
前記直付記憶装置は、予め設定した時間を越えて前記冷凍装置室内機の運転データを記憶する場合は、前記異常検出手段による異常検出時から所定時間分の記憶されている運転データを保護するとともに前記所定時間分以降における記憶されている古い運転データから上書きされるようにされていることを特徴とする請求項１に記載の冷凍システム。
【請求項５】
前記冷凍装置室外機の前記制御基板に表示器を設け、前記異常検出手段による異常検出時から異常復旧までの前記冷凍装置室内機の運転データの受信中に、前記表示器に受信中の表示と前記直付記憶装置の残り記憶可能時間の表示を行うことを特徴とする請求項１、請求項３又は請求項４に記載の冷凍システム。
【発明の詳細な説明】
【技術分野】
【０００１】
本発明は、低温ショーケースなどの冷凍装置室内機と、前記室内機と連結されて冷凍装置を形成する冷凍装置室外機と、前記冷凍装置室内機の運転データを設定時間間隔で記憶する内部記憶装置を有するシステムコントローラとを備えた冷凍システムに関する技術である。
【背景技術】
【０００２】
近年、食品衛生管理システムの一つであるＨＡＣＣＰ（Hazard Analysis and Critical Control Point）への対応や消費者の食品に対する安全意識の高まりから、低温で保存、陳列する食品の温度管理が重要となっている。
そこで、従来、ショーケースなどの温度などの運転データを所定間隔、例えば３分間隔で集中監視装置の内部記憶手段に記憶させるようにした冷凍システムが知られている（例えば、特許文献１参照）。
【０００３】
すなわち、従来の冷凍システムでは、ショーケースやウォークイン冷蔵庫等の運転データを伝送線により集中監視装置の内部記憶手段に所定間隔で記憶するようにした冷凍システムが知られている
ところで、このような従来の冷凍システムは、ショーケースと冷凍機とは、異なる製造者によって製造されることが多く、ショーケースと集中監視装置とは伝送線により通信できるようにしているが、ショーケースと冷凍機とは伝送線を接続しておらず通信できるようにしていない。
【先行技術文献】
【特許文献】
【０００４】
【特許文献１】特開２０００−９７５３４号公報（段落０００９〜００１１、図１）
【発明の概要】
【発明が解決しようとする課題】
【０００５】
特許文献１に記載された従来の技術は、集中監視装置の故障による集中監視装置の異常時や集中監視装置―ショーケース間の伝送線断線や地絡による通信異常時には温度等の運転データを記憶できず、食品衛生管理ができないという課題がある。
【０００６】
本発明は、特許文献１に記載の従来例における異常時に運転データの記憶ができないという課題を解決するために、異常検出手段による異常検出時から異常復旧まで冷凍装置室内機の運転データを設定時間間隔で記憶する直付記憶装置を冷凍装置室外機の制御基板に直付けして設けることにより運転データの欠落を防止することを目的としている。
【課題を解決するための手段】
【０００７】
本発明の冷凍システムは、食品などの物品を低温貯蔵する冷凍装置室内機と、前記室内機と連結されて冷凍装置を形成する冷凍装置室外機と、前記冷凍装置室内機の運転データを設定時間間隔で記憶する内部記憶装置を有するシステムコントローラと、前記冷凍装置室内機と前記システムコントローラとを通信線で接続した室内機―コントローラ間通信手段とを備えた冷凍システムにおいて、前記冷凍装置室内機と前記冷凍装置室外機とを通信線で接続した室内機―室外機間通信手段と、前記冷凍装置室外機の制御基板に設けられるとともに前記システムコントローラの異常及び前記室内機―コントローラ間通信手段の異常を検出する異常検出手段と、前記冷凍装置室外機の制御基板に直付けされて設けられるとともに前記異常検出手段による異常検出時から異常復旧まで前記冷凍装置室内機の運転データを前記設定時間間隔で記憶する直付記憶装置とを備えたものである。
【発明の効果】
【０００８】
本発明の冷凍システムは、前記冷凍装置室内機と前記冷凍装置室外機とを通信線で接続した室内機―室外機間通信手段と、前記冷凍装置室外機の制御基板に設けられるとともに前記システムコントローラの異常及び前記室内機―コントローラ間通信手段の異常を検出する異常検出手段と、前記冷凍装置室外機の制御基板に直付けされて設けられるとともに前記異常検出手段による異常検出時から異常復旧まで前記冷凍装置室内機の運転データを前記設定時間間隔で記憶する直付記憶装置とを備えたから、前記システムコントローラ等の異常時にも前記冷凍装置室内機の運転データを欠落なく連続的に記憶することができるのである。
【図面の簡単な説明】
【０００９】
【図１】本発明の実施の形態１に係る冷凍システムの概略を示す系統図である。
【図２】本発明の実施の形態１に係るシステムコントローラにおける表示イメージを示す図であり、（ａ）は冷凍装置室内機の運転データをグループでモニタするグループモニタ画面、（ｂ）は冷凍装置室内機の運転データを個別でモニタする個別モニタ画面である。
【図３】本発明の実施の形態１に係る冷凍システムの構成を概略的に示すブロック構成図である。
【図４】本発明の実施の形態１に係る冷凍システムの動作を説明するフロー図である。
【図５】本発明の実施の形態２に係る冷凍システムの概略を示す系統図である。
【図６】本発明の実施の形態２に係る冷凍システムの動作を説明するフロー図である。
【発明を実施するための形態】
【００１０】
実施の形態１．
図１〜図４は、本発明の実施の形態１に係る図面であり、図１は冷凍システムの概略を示す系統図、図２はシステムコントローラにおける表示イメージを示す図、図３は冷凍システムの構成を概略的に示すブロック構成図、図４は冷凍システムの動作を説明するフロー図である。
図１において、１は食品、医薬品などの物品を低温貯蔵する冷凍装置室内機であり、例えば、スーパーマーケットやコンビニエンスストアに設置されるショーケース、冷蔵庫、冷凍庫などである。
【００１１】
２は冷凍装置室外機であり、２台の前記冷凍装置室外機２それぞれは、圧縮機（図示せず）、凝縮器（図示せず）、送風機（図示せず）及び制御基板２１などを備え、４台の前記冷凍装置室内機１と連結されて２つのグループＧ０１、Ｇ０２の冷凍装置を形成している。
３は前記各冷凍装置室内機１の運転データを設定時間間隔で記憶する内部記憶装置（図示せず）を有するシステムコントローラであり、前記システムコントローラ３は、前記各冷凍装置室内機１と通信線４で接続して室内機―コントローラ間通信手段４１を形成するとともに、前記各冷凍装置室外機２と通信線４で接続して室外機―コントローラ間通信手段４２を形成している。
【００１２】
また、各４台の前記冷凍装置室内機１は、前記グループＧ０１、Ｇ０２毎に前記冷凍装置室外機２と通信線４で接続して室内機―室外機間通信手段４３を形成している。
次に、図２（ａ)、（ｂ）に基づいて、前記システムコントローラ３における前記冷凍装置室内機１の運転データをモニタするモニタ画面を、（ａ）のグループモニタ画面と、（ｂ）の個別モニタ画面により説明する。
【００１３】
図２（ａ）において、３１は現在時刻表示部、３２は前記冷凍装置室内機１のグループ番号表示部で前記グループＧ０１を表示しており、３２ａ、３２ｂは前記グループ番号表示部３２のグループ番号増減部、３３は前記冷凍装置室内機１のアドレス表示部、３４は前記冷凍装置室内機１の庫内温度表示部、３５は前記冷凍装置室内機1の設定温度表示部であり、これら表示部３３〜３５は前記冷凍装置の前記グループＧ０１の４台の冷凍装置室内機１の運転データのうち、前記現在時刻表示部３１による現在時刻における最も重要な庫内温度と設定温度とを４行で表示している。
また、３６は前記４行の運転データの操作部で１回のタッチ毎に選択行の切替操作がなされ、３６ａは前記操作部３６で切替操作した選択行の設定部であり、選択行の設定により前記設定温度表示部３５が点滅する。
【００１４】
そして、３５ａ、３５ｂは前記設定温度表示部３５の設定温度増減部、３５ｃは設定温度決定部であり、これら設定温度増減部３５ａ、３５ｂ、設定温度決定部３５ｃ、操作部３６、設定部３６ａにより、前記グループＧ０１の４台の前記冷凍装置室内機１の前記設定温度３５を変更できるようにしている。
また、３７は切替部であり、前記切替部３７のタッチ毎に画面を切替えるようにしており、例えば、前記室内機グループモニタと前記室内機個別モニタの切替や、前記冷凍装置室内機１の過去の運転データ（運転履歴データ）画面、時刻修正画面などに切替ができるのである。
【００１５】
なお、３８は前記グループＧ０１の前記冷凍装置室外機２のアドレス表示部である。
図２（ａ）の画面において、前記切替部３７にタッチすることにより、図２（ｂ）の室内機個別モニタ画面となる。
【００１６】
図２（ｂ）において、３３ａ、３３ｂは前記冷凍装置室内機１のアドレス表示部３３のアドレス番号増減部、３９ａ〜３９ｆは、アドレス番号０１１についての前記冷凍装置室内機１の吹出温度表示部、吸込温度表示部、除霜終了温度表示部、ＬＥＶ（電子式リニア膨張弁）入口温度表示部、ＬＥＶ（電子式リニア膨張弁）出口温度表示部、ＬＥＶ（電子式リニア膨張弁）開度表示部である。
また、図２（ｂ）では、図２（ａ）と同様に、前記操作部３６のタッチにより前記設定温度表示部３５を選択して前記設定部３６ａのタッチにより前記設定温度表示部３５を点滅させて前記設定温度増減部３５ａ、３５ｂ及び前記設定温度決定部３５ｃにより設定温度を変更できるようにしている。
【００１７】
なお、図２（ａ）、（ｂ）において、３７ａは画面番号表示部である。
図２（ａ）、（ｂ）に基づいて、前記システムコントローラ３の表示画面の一例を説明したが、前記システムコントローラ３は、上述した内部記憶装置に前記各冷凍装置室内機１の上述の表示画面に示した運転データを設定時間間隔、例えば１分間隔で記憶するようにしている。
【００１８】
次に、図３に基づき冷凍システムの構成の概略を説明する。
図３において、２台の前記各冷凍装置室外機２は、前記制御基板２１と、各種温度センサ２２と、圧力センサ２３と、圧縮機２４とを備えており、前記制御基板２１は、マイクロコンピュータ２１ａと、前記制御基板２１に直付けされた直付記憶装置２１ｂと、前記各種温度センサ２２により検知した各種温度及び前記圧力センサ２３により検知した圧力を表示する表示器２１ｃと、通信手段２１ｄと、入力手段２１ｅと、出力手段２１ｆとを備えている。
【００１９】
前記各制御基板２１の前記通信手段２１ｄは前記システムコントローラ３と通信線で接続されるとともに、各冷凍装置のグループＧ０１、Ｇ０２を形成する４台の冷凍装置室内機１と通信線で接続されている。
そして、前記通信手段２１ｄを介して、前記冷凍装置室内機１と前記システムコントローラ３との通信手段である前記室内機―コントローラ間通信手段４１と、前記冷凍装置室外機２と前記システムコンとローラ３との通信手段である前記室外機コントローラ間通信手段４２と、前記冷凍装置室内機１と前記冷凍装置室外機２との通信手段である前記室内機―室外機間通信手段４３とを構成している。
【００２０】
また、前記システムコントローラ３の異常及び前記室内機―コントローラ間通信手段４１の異常を検出する異常検出手段は、前記冷凍装置室外機２の前記制御基板２１に設けられた前記マイクロコンピュータ２１ａとソフトウエアにより構成されるのである。
前記直付記憶装置２１ｂは、例えばＥＥＰＲＯＭを前記冷凍装置室外機２の前記制御基板２１に直付けされて設けられており、前記異常検出手段による異常検出時から異常復旧まで前記冷凍装置室内機の運転データを前記設定時間間隔で記憶するようにしており、記憶容量としては、監視者が前記異常検出手段による異常検出を１日１回確認し、異常復旧に要する時間と余裕時間を考慮して、例えば３日間の７２時間程度の全数の前記室内機１の運転データを記憶できるように選定するのである。
【００２１】
次に、図４のフロー図に基づいて、前記異常検出手段について説明する。
ステップＳ１で、前記冷凍装置室内機１が前記システムコントローラ３からの定時通信を受信してから１分経過したかを判断して、１分経過した時点でステップＳ２に進み前記ステップＳ２で、前記システムコントローラ３・前記冷凍装置室内機１間の定時通信を行う。
【００２２】
ステップＳ３で、前記冷凍装置室外機２で前記システムコントローラ３・前記冷凍装置室内機１間の定時通信が受信できたかを判断する。
前記ステップＳ３で定時通信が受信できたときはステップＳ４で、前記システムコントローラ３に前記冷凍装置室内機１の運転データを送信する。
【００２３】
そして、ステップＳ５で、送信した前記冷凍装置室内機１の運転データに対して前記システムコントローラ３から正常受信の応答があったかを判断する。
前記ステップＳ５で正常受信の応答があったときはステップＳ６で、前記冷凍装置室外機２で前記システムコントローラ３・前記冷凍装置室内機１間の定時通信がモニタできたかを判断し、モニタできたときには前記ステップＳ１に戻る。
【００２４】
前記ステップＳ３で、前記冷凍装置室外機２で前記システムコントローラ３・前記冷凍装置室内機１間の定時通信が受信できないとき、前記ステップＳ５で、送信した前記冷凍装置室内機１の運転データに対して前記システムコントローラ３から正常受信の応答がないとき、及びステップＳ６で、前記冷凍装置室外機２で前記システムコントローラ３・前記冷凍装置室内機１間の定時通信がモニタできなかったときは、ステップＳ７に進む。
前記ステップＳ７で、前記システムコントローラ３・前記冷凍装置室内機１間の通信異常と判定し、ステップＳ８で、前記冷凍装置室内機１に運転データを送信要求し、ステップＳ９で、前記冷凍装置室外機２に前記冷凍装置室内機１の運転データを送信する。
【００２５】
次に、ステップＳ１０で、前記システムコントローラ３・前記冷凍装置室内機１間で通信があったかを判断し、通信があったときは、ステップＳ１１に進み、前記システムコントローラ３・前記冷凍装置室内機１間の通信異常が復旧したと判定して、前記ステップＳ１に戻る。
また、前記ステップＳ１０で、前記システムコントローラ３・前記冷凍装置室内機１間で通信がなかったときは、前記システムコントローラ３・前記冷凍装置室内機１間の通信異常が復旧していないと判定して、ステップＳ１２に進む。
【００２６】
前記ステップ１２で、前回の前記冷凍装置室内機１の運転データの送信から１分経過したかを判断して、１分経過した時点で前記ステップＳ８に進み、１分経過していないときは前記ステップＳ１０に進み前記システムコントローラ３・前記冷凍装置室内機１間の通信復旧の有無を判定する。
以上のステップＳ１〜ステップＳ１２により、前記冷凍装置室内機１の運転データを前記システムコントローラ３の前記内蔵記憶装置に記憶させたり（前記ステップＳ１〜前記ステップＳ６）、前記ステップＳ７により、前記異常検出手段による前記システムコントローラ３の異常及び前記室内機―コントローラ間通信手段４１の異常を検出して異常判定を行い、前記ステップＳ１０及び前記ステップＳ１１による異常復旧判定まで、前記ステップＳ８〜前記ステップＳ１０及び前記ステップＳ１２により、前記冷凍装置室内機１の運転データを前記冷凍装置室外機２の前記制御基板２１に設けられた前記直付記憶装置２１ｂに記憶させるのである。
【００２７】
また、以上の図４の説明は、説明を簡単にするために、１台の冷凍装置室内機１の運転データの記憶装置への記憶であったが、残りの３台の冷凍装置室内機１の運転データ及び他の冷凍装置のグループにおける冷凍装置室内機１の運転データについては、順次切替えて前記フロー図における前記ステップＳ１〜前記ステップＳ１２を行うことで同様に記憶装置に記憶するのである。
そして、前記異常検出手段による異常検出時から異常復旧まで前記冷凍装置室内機の運転データは、前記直付記憶装置２１ｂに記憶されており、監視者が例えばパーソナルコンピュータを前記各冷凍装置室外機２の前記制御基板２１の前記出力手段２１ｆに接続することにより、パーソナルコンピュータの記憶装置に取り込むようにしている。
【００２８】
実施の形態１では、以上のようにして、安価な前記直付記憶装置２１ｂを前記制御基板２１に設けることにより、前記システムコントローラ３等の異常時にも前記冷凍装置室内機１の運転データを欠落なく連続的に記憶することができるのである。
【００２９】
実施の形態２．
次に、図５及び図６は、本発明の実施の形態２に係る図面であり、図５は冷凍システムの概略を示す系統図、図６は冷凍システムの構成を概略的に示すブロック構成図である。
この実施の形態２は、実施の形態１における記憶装置の変形例であり、図５及び図６に示すように、図３に示す実施の形態１における前記直付記憶装置２１ｂに替えて、前記制御基板２１にコネクタ２１ｇと外部記憶装置２１ｈとを設けた点とが相違する点である。
【００３０】
以下、実施の形態１と同様な構成については、同一の符号を付して説明を省略ないし簡略にし、実施の形態１と相違する構成について詳細に説明する。
図５及び図６において、冷凍装置室外機２の制御基板２１には、コネクタ２１ｇが設けられ、前記コネクタ２１ｇにフラッシュメモリを内蔵したカードからなる外部記憶装置２１ｈが取外し可能に設けられている。
【００３１】
この実施の形態２は、前記異常検出手段の動作が実施の形態１における図４のフロー図と同様に、前記システムコントローラ３等の異常時に前記冷凍装置室内機１の運転データを欠落なく連続的に記憶することができ、しかも、取外し可能に前記制御基板２１に設けられているから、異常復旧に時間がかかっても、前記外部記憶装置２１ｈを交換することで実施の形態１に比し長時間の前記冷凍装置室内機１の運転データの記憶が可能となる。
また、実施の形態１ではパーソナルコンピュータを接続して前記冷凍装置室内機１の運転データを取り込む必要があったが、この実施の形態２によれば、パーソナルコンピュータを接続することなく前記冷凍装置室内機１の運転データを前記外部記憶装置２１ｈを持ち運ぶことにより、前記冷凍装置室外機２の設置場所での作業をする必要がないのである。
【００３２】
実施の形態３．
次に、本発明の実施の形態３について説明する。
実施の形態３は、上述の実施の形態１において、前記直付記憶装置２１ｂは、予め設定した時間、例えば３日間の７２時間を越えて前記冷凍装置室内機１の運転データを記憶する場合は、記憶されている古い運転データから上書きされるようにするのである。
【００３３】
この実施の形態３によれば、実施の形態１に加えて、前記冷凍装置室外機２の前記制御基板２１に直付けされて設けられた前記直付記憶装置２１ｂの記憶容量を越えて異常復旧がなされない場合、例えばメンテナンス関連業者が正月やゴールデンウイークのように長期休暇で異常復旧に長時間を要するときでも最新の前記冷凍装置室内機１の運転データを記憶することができるのである。
【００３４】
実施の形態４．
次に、本発明の実施の形態４について説明する。
実施の形態４は、上述の実施の形態１において、前記直付記憶装置２１ｂは、予め設定した時間、例えば３日間の７２時間を越えて前記冷凍装置室内機１の運転データを記憶する場合は、前記異常検出手段による異常検出時から所定時間分の記憶されている前記冷凍装置室内機１の運転データを保護するとともに前記所定時間分以降における記憶されている古い運転データから上書きされるようにするのである。
【００３５】
この実施の形態４によれば、実施の形態１に加えて、前記冷凍装置室外機２の前記制御基板２１に直付けされて設けられた前記直付記憶装置２１ｂの記憶容量を越えて異常復旧がなされない場合、例えばメンテナンス関連業者が正月やゴールデンウイークのように長期休暇で異常復旧に長時間を要するときでも異常検出時から所定時間分の前記冷凍装置室内機１の運転データと、異常復旧時近傍の運転データの両方を記憶することができるので、前記冷凍装置室内機１の運転データの一部欠落がありながら、より重要な運転データを保持することができるのである。
【００３６】
実施の形態５．
次に、本発明の実施の形態５について説明する。
実施の形態１、実施の形態３又は実施の形態４において、前記冷凍装置室外機２の前記制御基板２１に設けた前記表示器２１ｃに、前記異常検出手段による異常検出時から異常復旧までの前記冷凍装置室内機１の運転データの受信中に、受信中の表示と前記直付記憶装置２１ｂの残り記憶可能時間の表示を行うようにするのである。
【００３７】
なお、前記直付記憶装置２１ｂの記憶容量を越えて異常復旧がなされない実施の形態３又は実施の形態４の場合には、前記直付記憶装置２１ｂの記憶容量を記憶した時点以降は、前記表示器２１ｃに、受信中の表示と前記直付記憶装置２１ｂの記憶可能時間：ゼロの表示を行うようにするのである。
この実施の形態５によれば、実施の形態１、実施の形態３又は実施の形態４に加えて、前記冷凍装置室外機２でも前記システムコントローラ３の異常や前記室内機―コントローラ間通信手段４１の異常を監視者が確認することができ、迅速に異常復旧を行うことができるとともに、残り記憶可能時間の表示から異常復旧を何時までに行えば前記冷凍装置室内機１の運転データの連続性を保持できるかを明確にすることができるのである。
【００３８】
以上の実施の形態１〜実施の形態５では、記憶装置に記憶する前記冷凍装置室内機１の運転データとして、現在時刻、グループ番号、前記冷凍装置室内機１のアドレス、前記冷凍装置室内機１の庫内温度、前記冷凍装置室内機1の設定温度、前記冷凍装置室外機２のアドレス、吹出温度、吸込温度、除霜終了温度、ＬＥＶ（電子式リニア膨張弁）入口温度、ＬＥＶ（電子式リニア膨張弁）出口温度、ＬＥＶ（電子式リニア膨張弁）開度などを記憶するようにしたが、最も重要な現在時刻、前記冷凍装置室内機１のアドレス、庫内温度、設定温度としてもよい。
また、以上の実施の形態１〜実施の形態５では、一つの前記システムコントローラ３と、４台の前記冷凍装置室内機１と前記冷凍装置室外機２とからなる２つの前記冷凍装置グループＧ０１、Ｇ０２であったが、一つの前記システムコントローラ３と、それぞれ１台以上の前記冷凍装置室内機１と、前記冷凍装置室外機２であればよい。
【００３９】
以上の実施の形態１〜実施の形態５では、前記冷凍装置室内機１の運転データを記憶装置に記憶する設定時間間隔を１分としたが、例えば、３０秒としたり、３分としてもよく、また、前記冷凍装置室内機１に低温貯蔵する物品の種類により、前記冷凍装置室内機１ごとに設定時間間隔を異なる値としてもよい。
【符号の説明】
【００４０】
１    冷凍装置室内機
２    冷凍装置室外機
３    システムコントローラ
４    通信線
２１  制御基板
２１ｂ  直付記憶装置
２１ｃ  表示器
２１ｈ  外部記憶装置
４１  室内機―コントローラ間通信手段
４２  室外機―コントローラ間通信手段
４３  室内機―室外機間通信手段
【図１】
2013137148.tif 000003
【図２】
2013137148.tif 000004
【図３】
2013137148.tif 000005
【図４】
2013137148.tif 000006
【図５】
2013137148.tif 000007
【図６】
2013137148.tif 000008